(57)【要約】      （修正有）【課題】土壌やゴミなどの放射能汚染物質を無害化する処理方法を提供する。【解決手段】放射能汚染物質をブラウンガスの切断装置で適当なサイズに切断した後、プラズマごみ焼却炉３で燃焼してセラミックとし、排ガスはブラウンガスの燃焼による除染器７で無害化する。【選択図】図１
2016191704.tif 000002
【特許請求の範囲】
【請求項１】
システム及び設計図書全般
【請求項２】
ブラウンガスによる適切な大きさに切断する切断装置。
【請求項３】
ブラウンガスによる汚染空気の除染。
【請求項４】
活性水素水による汚染物質の軽減
【発明の詳細な説明】
【技術分野】
【０００１】本発明は、ブラウンガスを用いて福島県等で出た汚染物質（セシウム及びトリチウム含む）の放射能を取り除き、昇華及び溶融等を繰り返して最終的に汚染土壌や不用物やごみをセラミックにして海中に返して魚類に喜んで貰うと言う壮大な計画である。  セラミックは遠赤外線を発するためマイナスイオンになり、ほとんどの生き物は歓迎する。
今の日本の近海では、津波などで陸からの酸化性の物質（例えば、コンクリート製）と塩水などの影響で魚の住む環境が悪くなっている。
【背景技術】
【０００２】原子力発電所の事故で広域な配位に放射能が散ってしまった。  特にセシウム５５Ｃｓ１３７とトリチウム（Ｔ）が多く拡散している。  これらが除染作業を通じて福島県に集積されており、今日の一番の社会問題となっている。  放射能の無害化は自然に放置すれば何十年も掛かるが、最近になって、ようやく光明が見えてきた。  それは、原子変換だけを考えてきた人たちにとっては世にも不思議な物語であった。  思いもつかなかったのである。  原子変換と言う難しい言葉に惑わされて、手につかなかったと言った方が適当である。  要は電子、陽子のやり取りで不安定な物質が安定した物質に変わったら放射能の無害化ができたと言うことである。
【先行技術文献】
【特許文献】
【０００３】  放射能の除染はいろいろあるが、放射能を無害にする方法は現在確立された方策はない。  珪藻土などで吸着させる方法やアルプスなどでどこかに吸着させる方法が取られているがこれも最終的な解決方法ではない。
マルチアークでプラズマ処理ができれば一番良いがまだ確立していない。
もう一つの方法はユル・ブラウン博士の発明したブラウンガスを利用することである。  このガスはインカ時代にすでに使われていて、石を切っていた形跡がある。  大変理解しがたいガスである。
今回はこのガスを使って放射能を無害化して、セラミックを製造するものである。
【発明の概要】
【発明が解決しようとする課題】
【０００４】除染物質は土壌やごみや汚染された衣服に汚染されたあらゆる物品をまとめて除染したものを除染物質と言っていると考えられる。
これをいちいち分類して土、繊維、ビン、缶などに分けることはできない。  これをやろうとすると気が狂う。  そうすると、考えられることは１つしかない。  まとめて除染するには、高温で物質を昇華や溶融時点まで燃焼してプラズマの状態で電子や陽子を移動させれば不安定な物質がひょっとして安定した物質になるのではないかと考える。
例えば、放射性物質セシウム５５Ｃｓ１３７が５６Ｃｓ１３７になれば、もうこれは放射性物質ではなくバリウムです。  トリチウムの場合も同じで重水素と一緒にブラウンガスで燃焼すると最終的に無害化できる。  エネルギーが発生するがそれをうまく処理すれば発電も可能である。  次に問題なのは高レベル放射能ストロンチウム９０Ｓｒなどであるが、これは結論を先に言うと水中や化合物中のイオン（Ｓｒ２＋）として存在する。
と言うことで、発明が解決しようとする課題は、福島県に集積された汚染物質（不安定な物質を含む物質、物品等）を無害な安定した物質、物品にすることである。  さらによくどしく、処理中に発生する副産物（セラミック）や発電までもやろうとするのである。
【課題を解決するための手段】
【０００５】“発明が解決しょうとする課題”に書いたように、ストロンチウムなどが水中や化合物中のイオンとして存在するのでこれが一番ネックになる。
これを対象に処理しなければ除染の意味がない。
したがって、集積されて来た除染物質すべてを溶融、昇華して（昇華しないものは別として、これはこれで集積してそれこそどこかに埋める。）貴重な物質は安定した状態にして集積して再利用する。  土質類はセラミックとして集積する。  処理途中では発電をして売電する。
このようにすれば、良いとこずくめである。  うまいこと行くかは分からないので、まず最初にパイロットプラントで確かめてから、大丈夫と判断できれば本格的に実施すれば良い。
パイロットプラントをどのようにするか、そして確実に不安定物質を安定物質になったことを証明できるかである。
それには、トリチウム３Ｔを重水素２Ｄと混合してブラウンガスで燃焼して蒸発、昇華を繰り返して確認する方法をとる。  これだと、ストロンチウムのイオンも除染できると考えられる。
パイロットプラントは約５，０００ｍ２の土地に下記に記載の施設を建設して実験を行う。  最初からうまくいかないかもしれないが、改造、改善しながら目的達成していく。    これがうまくいくと、このパイロットプラントを増やせば処理能力が大きくなるので十分集積された量の汚染物質を３０年以内に処理できる。  問題はブラウンガスの製造能力である。  これは、各メーカー（（株）ジパングのゼットガスなどに確認が必要。）と相談しなければならない。  なぜなら、このガスが主役である。  これがなければお手上げである。
まずは、汚染搬入物質の大きさを統一する必要がある。  鋼材や骨材や石材の大きさをブラウンガスの切断機で５〜８ｃｍ角位に切り落とす。
（新たにブラウンガス利用の切断装置を開発する。）ここまでは前処理とする。  なぜブラウンガスかと言うとマルチアークとどうように超高温を出せるので、このガスを利用する。
それでは、下記に各施設を記載して順番に説明していく。
（イ）一番先に、やはり汚染物質集積場（１）を約３００ｍ２の土地に半径６ｍの円筒で高さ２０ｍ位のサイロ（コンクリート製）を設け、バケットコンベアー等（２）で汚染物質を搬入する。  その後、活性水素水あるいは（水素水＋トルマリン水）を散布する。
（ロ）汚染物質集積場のサイロ（１）の下部のゲートからコンベアーでアーク・プラズマごみ焼却炉（３）に送る。  ここは、ブラウンガス利用の焼却炉でも良いが実績のあるアーク・プラズマごみ焼却炉を利用する。
（ハ）  アーク・プラズマごみ焼却炉では最終的には無公害の硬いセラミックができる。  また、排熱が出るので発電施設も設置する。
（ニ）問題は大気の汚染をどうするかである。  そこで、約５，０００ｍ２の土地を各施設ごとに区切り、区画ごとの空気をブラウンガスで除染する。
クリーンルーム室を設け、自動で放射能が規定値以下になったら大気に放出するようにシステムを組む。
（ホ）廃炉ではないのでここまでであるが、廃炉の場合は高濃度汚染物質（燃料棒や炉心などの汚染された金属類）の処理が加算される。
したがって、今回は蒸留塔などの昇華設備はない。
【発明の効果】
【０００６】（イ）集積場の汚染土の除去。
（ロ）集積場付近の大気の汚染を除去する。
（ハ）セラミックができるので、海の漁礁作りができる。  現在の多くの海中工事はコンクリートを使用しているが、これはあまり良くない。
魚に好かれる遠赤外線等の出るセラミックが良い。
（ニ）廃炉ではないのでここまでである。  廃炉の場合はひょっとして貴重なレアアースとか希少金属が取り出せるかも知れない。
【図面の簡単な説明】
【０００７】
【図１】本発明のシステム図である。
【発明を実施するための形態】
【０００８】ブラウンガスでセシウム５５Ｃｓ１３７をバリウム５６Ｃｓ１３７に変換する過程を記してから構造を書く。
プラズマ・ごみ焼却炉
２Ｈ２Ｏを電気分解（エネルギーα）→２Ｈ２＋Ｏ２
→２（ＨｅＨ）２＋Ｏ２→（燃焼）２Ｈ２Ｏ＋（放出エネルギーβ）＋Ｈｅ
→２（ＨｅＨ）２Ｏ→２（Ｈｅ＋電子ｅ−＋Ｈ＋）２Ｏ
→２Ｈｅ２＋２ｅ２−＋２Ｈ２＋＋Ｏ２→セシウム５５Ｃｓ１３７→
２Ｈ２Ｏ＋２Ｈｅ２＋セシウム５６Ｃｓ１３７＋（放出エネルギーβ）
ブラウンガスで大気中のトリチウムを除去
３Ｔ（トリチウム）＋２Ｄ（重水素）＋ブラウンガス２Ｈ２＋Ｏ２
→２Ｈ２Ｏ＋４Ｈｅ＋陽子ｎ
→２Ｈ２Ｏ＋２Ｈ２＋陽子ｎ＋エネルギー
したがって、トリチウムが除去されている。
【構造】
【０００９】  プラズマ・ごみ焼却内でセシウムがバリウムに変換している。
室内の大気中のトリチウムがブラウンガスの燃焼で除去されている。
【本発明を使用するときは以下の手順で行う】
【００１０】まず最初に行うことは、作業の効率を考え処理材を扱い安くする大きさにカットすることである。  この場合は燃焼の温度を非常に高くできるので、ほとんどの物は溶融または昇華してしまうので、材料の分別は必要ない。  ブラウンガスは大変高温になるので、金属などの切断に適している。  また石類でも切断できる。
ブラウンガス利用の切断装置を今回作っておくと将来にも役に立つと思うので、この際作っておく。
これができれば、あとはプラズマごみ焼却炉に入れれば、排熱を利用して発電しながら、汚染物質のごみを無害なセラミックにする。
また、焼却炉のガスも、汚染物質から出るガスも汚染されているのでブラウンガスで除染する。
各施設ごとの建屋を区画して一般ルームとクリーンルームに分け、作業員はクリーンルームで作業する。作業はコントロールパネルで行い、ほとんどは遠隔操作である。  一般ルームの除染はブラウンガスの燃焼によるため送風機で室内の空気を循環させる。規定値以下になると自動的にクリーンルームに取り入れる。    クリーンルームでも除染用ブラウンガスの燃焼装置を取り付けておく。一般ルームから空気が入ってくればクリーンルームから同量外部に放出する。
中央監視盤はプラズマごみ焼却炉のクリーンルーム室に設置する。
総合監視はここで行う。
セラミックの取出し部にはエアーワッシャなどを取り付けてできるだけ汚染された外部の空気、内部の空気から保護する。
燃料設置場所も耐震構造である。  もちろんすべて耐震であるが。
非常電源設備を備えておく。
防火用水槽も設置。  建築基準法、消防法、大気汚染防止管理者、水質汚濁防止管理者など法規制に適合すること。
【符号の説明】
【００１１】１．汚染物質集積場サイロ
２．バケットコンベアー
３．プラズマごみ焼却炉
４．活性水素水あるいは水素水とトルマリン水
５．コンベアー
６．セラミック集積場
７．除染燃焼器
８．循環送風機
９．吸気機
１０．排風機
１１．クリーンルーム
１２．発電プラント
１３．煙突
その他、関係法規制に適合すること。
【図１】
2016191704.tif 000003